(57)【要約】【課題】  プラスチックステントの施術位置を調整することができるようにするプラスチックステント挿入装置を提供する。【解決手段】  人体の胆管または尿管のような体腔に施術されるプラスチックステントを挿入する装置であって、操作部の作動によって進退する可動ワイヤの末端部に末端チップが連結され、前記操作部に連結されたチューブと末端チップを連結するとともに軟質材からなって末端チップの後進作動の際に長手方向に圧縮されて直径が拡張する拡張部材が備えられ、前記プラスチックステントは、操作部の作動による可動ワイヤの後進の際、拡張部材の直径拡張によってプラスチックステントの内周面にかかるように構成される。【選択図】  図１
2014069069.tif 000002
【特許請求の範囲】
【請求項１】
人体の胆管または尿管のような体腔に施術されるプラスチックステント１０を挿入する装置において、
操作部５０の作動によって進退する可動ワイヤ３１の末端部に末端チップ２３が連結され、前記操作部５０に連結されたチューブ２２と末端チップ２３を連結するとともに軟質材からなって末端チップ２３の後進作動の際に長手方向に圧縮されて直径が拡張する拡張部材４０が備えられ、前記プラスチックステント１０は、操作部５０の作動による可動ワイヤ３１の後進の際、拡張部材４０の直径拡張によってプラスチックステント１０の内周面にかかるように構成されることを特徴とする、プラスチックステント挿入装置。
【請求項２】
前記拡張部材４０が連結された末端チップ２３の一部が切断されて一つ以上の末端部２３ａ、２３ｂ、２３ｃ・・・が備えられ、前記末端チップ２３、末端部２３ａ、２３ｂ、２３ｃ・・・及びチューブ２２の間にそれぞれ拡張部材４０が連結されることで、プラスチックステント１０がローディングされるローディング部２４に多数の拡張部材４０が備えられることを特徴とする、請求項１に記載のプラスチックステント挿入装置。
【請求項３】
前記拡張部材４０は円筒状に構成されることを特徴とする、請求項１または２に記載のプラスチックステント挿入装置。
【請求項４】
前記拡張部材４０は、外周面に円周方向に沿って一つ以上の突条４１が備えられることによってプラスチックステント１０との摩擦を増大させることを特徴とする、請求項３に記載のプラスチックステント挿入装置。
【請求項５】
前記拡張部材４０は、外周面に一つ以上の突起４２が備えられることによってプラスチックステント１０との摩擦を増大させることを特徴とする、請求項３に記載のプラスチックステント挿入装置。
【請求項６】
前記拡張部材４０は、円筒状の長手方向に両末端部を除いた中央部が切開されて二つ以上の支持リブ４３が構成され、前記拡張部材４０が長手方向に圧縮されるとき、支持リブ４３が隆起するように構成されることを特徴とする、請求項３に記載のプラスチックステント挿入装置。
【請求項７】
前記拡張部材４０の支持リブ４３の外側面に一つ以上の突条４１が備えられることによってプラスチックステント１０との摩擦を増大させることを特徴とする、請求項６に記載のプラスチックステント挿入装置。
【請求項８】
前記拡張部材４０の支持リブ４３の外側面に一つ以上の突起４２が備えられることによってプラスチックステント１０との摩擦を増大させることを特徴とする、請求項６に記載のプラスチックステント挿入装置。
【請求項９】
前記拡張部材４０は両末端部４４の直径より中央部４５の直径４５が大きなコイルスプリング状に構成され、前記可動具３０を引っ張るとき、拡張部材４０が長手方向に沿って収縮しながら中央部４５が拡張するように構成されることを特徴とする、請求項１または２に記載のプラスチックステント挿入装置。
【請求項１０】
前記拡張部材４０は、一つ以上の屈曲部４６を持つ多数本の弾性ワイヤ４７が螺旋状に配置され、両末端部は直径が小さく、中央部には一つ以上の拡張部４８が形成されるように構成され、前記可動具３０を引っ張るとき、拡張部材４０が長手方向に沿って収縮しながら拡張部４８が拡張するように構成されることを特徴とする、請求項１または２に記載のプラスチックステント挿入装置。
【請求項１１】
前記拡張部材４０はシリコン溶融液に浸漬してから硬化させることで拡張部材４０の表面にコーティング層４９が形成されるか、あるいは拡張部材４０に軟質のシリコンチューブまたは軟質のゴムチューブ４９ａが被せられることを特徴とする、請求項９または１０に記載のプラスチックステント挿入装置。
【発明の詳細な説明】
【技術分野】
【０００１】
本発明はステント挿入装置に係り、詳しくは長手方向への収縮によって拡張部材の直径が拡張し、人体の体腔内からステントを引っ張ることで施術位置を簡単に調整することができるようにするプラスチックステント挿入装置に関するものである。
【背景技術】
【０００２】
一般に、血管の拡張維持、及び胆道、食道、気道及び尿管のような各種の臓器で発生する病変によって前記臓器の管路が狭くなるか、あるいは人体内に内視鏡を用いて病変部位を治療するときに発生する傷によって一時炎症が発生して臓器の管路が狭くなる現象などの問題がある臓器の管路を広げるためにさまざまのプラスチックステントを使っている。
【０００３】
しかし、前記プラスチックステントは、施術のために、挿入装置内に挿入した後、挿入対象の臓器の内部に挿入するが、正確な施術のためには抜出し及び再挿入の過程を繰り返すこともできる。
【０００４】
そして、前記プラスチックステントを押し入れて施術する方式の場合、プラスチックステントが全く挿入装置から抜き出される場合、施術位置を再び調整するためには、挿入装置内に再び挿入して調整しなければならないが、これが不可能な問題点があった。
【０００５】
このような前記問題点を解決するために、挿入装置とプラスチックステントを連結紐で縛って連結して施術のための調整が完了すれば、連結紐を解いて挿入装置とプラスチックステントを分離する技術が提案されたが、このような技術は連結過程が煩わしく、施術のための調整の際、連結紐が切断すればステントの位置調整が不可能な問題点があった。
【０００６】
これにより、プラスチックステントの施術位置の調整のために引く場合、直径が拡張する部材の拡張部がプラスチックステントの内周面に密着して支持することにより、ステントが挿入装置から分離されないで一緒に移動し、施術位置を正確に調整することができるようにする改善されたプラスチックステント挿入装置が切実に要求される実情である。
【先行技術文献】
【特許文献】
【０００７】
【特許文献１】大韓民国特許公開第２００２−００８９３４２号明細書
【発明の概要】
【発明が解決しようとする課題】
【０００８】
したがって、本発明は前記のような従来技術の問題点に鑑みてなされたもので、プラスチックステントの施術位置を調整することができるプラスチックステント挿入装置を提供することに目的がある。
【０００９】
そして、本発明の他の目的は、作動具の作動によって拡張部材が長手方向に沿って圧縮されるとともに直径が拡張してステントの内周面と接触して支持するようにすることにある。
【００１０】
また、本発明のさらに他の目的は、挿入装置とステントを編むとか連結する方式から脱し、挿入装置とステントを強制的に連結しないで独立してステントの位置を簡単に調整することができるようにすることにある。
【００１１】
また、本発明のさらに他の目的は、円形やコイルスプリング状になった拡張部材を用いて用途に応じて変更して使うようにすることにある。
【課題を解決するための手段】
【００１２】
前記目的を達成するために、本発明は、人体の胆管または尿管のような体腔に施術されるプラスチックステントを挿入する装置であって、操作部の作動によって進退する可動ワイヤの末端部に末端チップが連結され、前記操作部に連結されたチューブと末端チップを連結するとともに軟質材からなって末端チップの後進作動の際に長手方向に圧縮されて直径が拡張する拡張部材が備えられ、前記プラスチックステントは、操作部の作動による可動ワイヤの後進の際、拡張部材の直径拡張によってプラスチックステントの内周面にかかるように構成されることを特徴とする、プラスチックステント挿入装置を提供する。
【発明の効果】
【００１３】
以上のように、本発明はプラスチックステントの施術位置を調整することができる効果がある。
【００１４】
そして、作動具の作動によって拡張部材が長手方向に沿って圧縮されるとともに直径が拡張してステントの内周面と接触して支持する効果がある。
【００１５】
また、挿入装置とステントを編むとか連結する方式から脱し、挿入装置とステントを強制的に連結しないで独立してステントの位置を簡単に調整することができる効果がある。
【００１６】
また、円形またはコイルスプリング状となった拡張部材を用いて用途に応じて変更して使うようにする効果がある。
【図面の簡単な説明】
【００１７】
【図１】本発明によるプラスチックステント挿入装置を示す斜視図である。
【図２】本発明による拡張部材が多数で構成された挿入装置の部分斜視図である。
【図３】本発明による円筒形の拡張部材を示す斜視図である。
【図４】本発明による突条が備えられた円筒形の拡張部材を示す斜視図である。
【図５】本発明による突起が備えられた円筒形の拡張部材を示す斜視図である。
【図６】本発明による多数の支持リブが備えられた拡張部材を示す斜視図である。
【図７】本発明による突条が支持リブに備えられた拡張部材を示す斜視図である。
【図８】本発明による突起が支持リブに備えられた拡張部材を示す斜視図である。
【図９】他の実施例によるプラスチックステント挿入装置を示す斜視図である。
【図１０】本発明によるコイル状の拡張部材を示す斜視図である。
【図１１】本発明による螺旋状の拡張部材を示す斜視図である。
【図１２】（ａ）はコイル状の拡張部材に合成樹脂チューブが被せられた状態、（ｂ）はコイル状の拡張部材に合成樹脂チューブが被せられた状態を示す図である。
【図１３】本発明による円筒形の拡張部材が拡張してステントを支持する作動を示す断面図である。
【図１４】本発明による突条が備えられた円筒形の拡張部材が拡張してステントを支持する作動を示す断面図である。
【図１５】本発明による突起が備えられた円筒形の拡張部材が拡張してステントを支持する作動を示す断面図である。
【図１６】本発明による多数の支持リブが備えられた拡張部材が拡張してステントを支持する作動を示す断面図である。
【図１７】本発明による突条が支持リブに備えられた拡張部材が拡張してステントを支持する作動を示す断面図である。
【図１８】本発明による突起が支持リブに備えられた拡張部材が拡張してステントを支持する作動を示す断面図である。
【図１９】本発明によるコイル状の拡張部材が拡張してステントを支持する作動を示す断面図である。
【図２０】本発明による螺旋状の拡張部材が拡張してステントを支持する作動を示す断面図である。
【発明を実施するための形態】
【００１８】
ここに、前記のような本発明の好適な実施例を添付図面に基づいて詳細に説明すれば次のようである。
【００１９】
図１に示すように、本発明のプラスチックステント挿入装置は、人体の胆管や尿管のような体腔に施術するプラスチックステント１０を挿入する装置であって、操作部５０は、一例として、前方にチューブ２２が結合された可動具３０と、前記チューブ２２を通過する可動ワイヤ３１が末端チップ２３に連結されたままで連結されるボディ２０とからなり、前記チューブ２２と末端チップ２３に連結される拡張部材４０から挿入装置１００Ａ、１００Ｂが構成される。
【００２０】
まず、前記挿入装置１００Ａ、１００Ｂの共通した構成としては、ボディ２０に支持段部２１が外周面に結合されたチューブ２２の前方に位置する末端チップ２３が構成される。
【００２１】
ここで、前記操作部５０のボディ２０と可動具３０は可動ワイヤ３１を前後方に押したり引いたりする動作がなだらかになるように構成されるもので、その形態は多様に具現することができる。
【００２２】
また、前記ボディ２０の前方にはチューブ２２が結合される。前記支持段部２１は、プラスチックステント１０がチューブ２２に嵌合されれば支持するようにチューブ２２に結合されたものである。
【００２３】
この際、前記チューブ２２は内部にコイル状の金属芯２２ａが形成され、前記金属芯２２ａの外部を低摩擦係数のナイロン、廃ダンボール、テフロンの被覆２２ｂで包まれて構成される。
【００２４】
すなわち、前記チューブ２２は金属芯２２ａによって屈曲自在であるとともに復元力に優れ、人体内に挿入するとき、被覆２２ｂによって摩擦が減少するように構成されたものである。
【００２５】
そして、前記チューブ２２は金属芯２２ａのみで構成されることもでき、ポリマー材でなった被覆２２ｂのみを持つチューブの形態に構成されることもできるもので、本発明においては金属芯２２ａを被覆２２ｂが包む形に構成されたものを例として説明する。
【００２６】
また、前記末端チップ２３はチューブ２２の直径と同じな直径に構成することが好ましく、チューブ２２の一部を切断して構成することもでき、別途のチューブ形態または円柱形態で構成することもできる。
【００２７】
このような前記末端チップ２３の末端部は丸く構成することが好ましい。
【００２８】
一方、前記チューブ２２を通過して可動具３０に連結されて進退する可動ワイヤ３１の末端部に末端チップ２３を連結して構成する。
【００２９】
この際、前記可動ワイヤ３１は、屈曲性能と引張力を増大させるために、多数本のワイヤを撚って構成することが好ましい。
【００３０】
このような前記可動具３０とボディ２０は互いに進退するように結合されたもので、可動具３０が移動距離だけ可動ワイヤ３１に連結された末端チップ２３が一緒に進退するように構成されたものである。
【００３１】
また、前記チューブ２２と末端チップ２３が連結され、軟質材でなることによって、末端チップ２３の後進作動の際、長手方向に圧縮されて直径が拡張する拡張部材４０が設けられる。
【００３２】
すなわち、前記拡張部材４０の拡張前直径（Ｄ１）はプラスチックステント１０の内径（ｄ）より小さく形成され、拡張部材４０が圧縮されながら拡張された後の直径（Ｄ２）はプラスチックステント１０の内径（ｄ）より大きく拡張され、内径（ｄ）のプラスチックステント１０の内周面に密着して加圧するように構成されたものである。
【００３３】
ここで、前記チューブ２２には流入孔が形成され、挿入装置１００Ａ、１００Ｂが人体の内部に挿入されるとき、案内機能を果たすガイドワイヤが挿入されてチューブ２２、拡張部材４０の内部をそれぞれ通過した後、末端チップ２３の前面に形成された貫通孔を通過するように構成されることもできる。
【００３４】
他の実施例において、図２に示すように、前記拡張部材４０が連結された末端チップ２３の一部を切断して一つ以上の末端部２３ａ、２３ｂ、２３ｃ・・・を形成する。
【００３５】
そして、前記末端チップ２３、末端部２３ａ、２３ｂ、２３ｃ・・・及びチューブ２２の間にそれぞれ拡張部材４０が連結されることで、プラスチックステント１０がローディング（嵌合）されるローディング部２４に多数の拡張部材４０が備えられる。
【００３６】
すなわち、前記ボディ２０と可動具３０の作動によって可動ワイヤ３１が後方に移動すれば、多数の拡張部材４０がそれぞれ長手方向に収縮して直径が拡大するもので、プラスチックステント１０の長さが長い場合、支持力の分散及び支持強度を向上させるための構成である。
【００３７】
前記のような挿入装置１００Ａに備えられる拡張部材４０は共通して透明材または不透明材の弾性力を持つ合成樹脂材でなることもでき、特に本発明では軟質の合成樹脂材で構成されるものとして説明し、多様な形態による特徴を説明すれば次のようである。
【００３８】
１．図３に示すように、前記拡張部材４０は円筒状に構成されるもので、長手方向への伸張と収縮が自在で、長手方向への収縮の際、圧縮によって直径が拡大されるように構成される。
【００３９】
２．図４に示すように、前記拡張部材４０は外周面に円周方向に沿って一つ以上の突条４１が構成され、前記突条４１によって、内径（ｄ）のプラスチックステント１０の内周面への密着の際、摩擦係数が向上するように構成される。
【００４０】
３．図５に示すように、前記拡張部材４０は外周面に一つ以上の突起４２が備えられ、前記突起４２によって、内径（ｄ）のプラスチックステント１０の内周面への密着の際、摩擦係数が増大するように構成される。
【００４１】
４．図６に示すように、前記拡張部材４０は円筒状の長手方向に両末端部を除いた中央部が切開されて二つ以上の支持リブ４３が構成される。
【００４２】
このような前記拡張部材４０を長手方向に圧縮するとき、支持リブ４３が隆起するように構成されるものである。
【００４３】
ここで、前記拡張部材４０は、長手方向に沿って圧縮された場合、支持リブ４３が外側に屈曲しながら隆起し、内径（ｄ）のプラスチックステント１０の内周面に密着するように構成される。
【００４４】
５．図７に示すように、前記拡張部材４０は支持リブ４３外側面に一つ以上の突条４１が形成され、前記突条４１によって、内径（ｄ）のプラスチックステント１０の内周面への密着の際、摩擦係数が高くなるように構成される。
【００４５】
６．図８に示すように、前記拡張部材４０は支持リブ４３外側面に一つ以上の突起４２が形成され、前記突起４２によって、内径（ｄ）のプラスチックステント１０の内周面への密着の際、摩擦係数が高くなるように構成される。
【００４６】
すなわち、前記拡張部材４０は、プラスチックステント１０が支持段部２１によって押されて体腔に進入し、プラスチックステント１０の後進の際、可動具３０の後進作動によって拡張部材４０が圧縮される作用によって外径が拡張してプラスチックステント１０の内周面に支持停止されることでプラスチックステント１０の施術位置を調整するように構成されたものである。
【００４７】
他の実施例において、図９に示すように、前記挿入装置１００Ｂに備えられる拡張部材４０は弾性力を持つワイヤを中間部の直径が大きなコイルスプリング状に構成され、その多様な形態による特徴を説明すれば次のようである。
【００４８】
まず、前記拡張部材４０を形成するワイヤは弾性力を持っている金属材ワイヤまたは合成樹脂材ワイヤのいずれか一つで構成可能である。
【００４９】
１．図９及び図１０に示すように、前記拡張部材４０は両末端部４４の両端直径より中央部４５の中央直径が大きなコイルスプリング状に構成される。
【００５０】
すなわち、前記ボディ２０と可動具３０の作動によって可動ワイヤ３１が引っ張られたとき、拡張部材４０が長手方向に沿って収縮しながら中央部４５の直径が拡張するように構成されるものである。
【００５１】
２．図１１に示すように、前記拡張部材４０は一つ以上の屈曲部４６を持つ多数本の弾性ワイヤ４７を螺旋状に配置することで、両末端部は直径が小さく、中央部には一つ以上の拡張部４８が形成されるように構成される。
【００５２】
すなわち、前記ボディ２０と可動具３０の作動によって可動ワイヤ３１が引っ張られたとき、拡張部材４０が長手方向に沿って収縮しながら拡張部４８が拡張するように構成されるものである。
【００５３】
３．図１２に示すように、前記拡張部材４０は、シリコン溶融液に浸漬してから硬化させることで、拡張部材４０の表面にコーティング層４９が形成されるようにするか（図（ａ））、あるいは拡張部材４０に軟質のシリコンチューブまたは軟質のゴムチューブ４９ａを被せて構成する（図面（ｂ））こともできる。
【００５４】
このような前記コーティング層４９と軟質のシリコンチューブまたは軟質のゴムチューブ４９ａは、拡張部材４０がプラスチックステント１０と接触するとき、スライド現象を防止して摩擦係数が高くなるように構成されたものである。
【００５５】
すなわち、前記拡張部材４０はプラスチックステント１０が支持段部２１によって押されて体腔に進入し、ボディ２０と可動具３０が作動しないとき、拡張部材４０が伸張して中央部４５または拡張部４８がプラスチックステント１０の内周面に接触しない状態でプラスチックステント１０の後進移動のためのボディ２０と可動具３０の作動によって可動ワイヤ３１が引っ張られて伸張していた拡張部材４０が収縮しながら圧縮される作用によって中央部４５または拡張部４８がプラスチックステント１０の内周面に密着支することで、プラスチックステント１０の施術位置を調整するように構成されたものである。
【００５６】
前記のように構成された本発明の作用及び効果を説明すれば次のようである。
【００５７】
図１及び図１３に示すように、前記挿入装置１００Ａ、１００Ｂのプラスチックステント１０を人体の胆道または尿道のような体腔に挿入して施術するためには、プラスチックステント１０の内部に末端チップ２３とチューブ２２を挿入する。
【００５８】
そして、前記プラスチックステント１０の後方端が支持段部２１に係止されるように挿入する。
【００５９】
その後、前記チューブ２２を施術のために予め挿入された案内鉄線に沿って胆管や尿管に挿入する。この際、施術時の視野確保のための装置は内視鏡を使うこともでき、別途のレントゲン装置によって挿入装置１００Ａ、１００Ｂに結合されたプラスチックステント１０を施術対象の胆管や尿管に挿入する。
【００６０】
次に、前記プラスチックステント１０を胆管や尿管の施術位置に挿入するとき、チューブ２２に結合された支持段部２１によってプラスチックステント１０は前方に押されて挿入施術されるようになる。
【００６１】
このように、前記プラスチックステント１０が胆管または尿管の施術位置に挿入されれば、挿入装置１００Ａ、１００Ｂを後方に引っ張ってローディング部２４の末端チップ２３からプラスチックステント１０が自然に離脱するようにする。
【００６２】
この際、前記プラスチックステント１０が後方に移動する挿入装置１００Ａ、１００Ｂとともに移動しない理由は、プラスチックステント１０の両末端部には内側に向かって外側に曲がった多数の係止突起１２が形成されるからである。このような前記係止突起１２が胆管または尿管の体腔面にかかることにより、プラスチックステント１０は移動しないで挿入装置１００Ａ、１００Ｂのチューブ２２がプラスチックステント１０の内部から抜けて正確な施術位置に配置され、挿入装置１００Ａ、１００Ｂが完全に人体から除去される過程によって施術が完了される。
【００６３】
しかし、前記プラスチックステント１０の施術の際、挿入装置１００Ａ、１００Ｂを進退させてプラスチックステント１０の正確な施術位置を調整するために、操作部５０のボディ２０は前進するとともに可動具３０は後方に移動する同時動作によって可動ワイヤ３１及び末端チップ２３が一緒に後方に引かれるようになる。
【００６４】
このように、前記チューブ２２は定位置に固定された状態で末端チップ２３が後方に移動すれば、拡張部材４０の拡張前直径（Ｄ１）から長手方向に圧縮されながら拡張された後の直径（Ｄ２）の拡張部材４０と一体化したリング（Ｒｉｎｇ）状をなすようになる。
【００６５】
この際、前記拡張後直径（Ｄ２）の部分は内径（ｄ）のプラスチックステント１０の内周面に密着して加圧することにより、挿入装置１００Ａ、１００Ｂを後方に移動させる場合にもチューブ２２から離脱しなく、拡張部材４０の膨脹支持力によって支持された状態で一緒に後方に移動することができ、プラスチックステント１０の施術位置を挿入装置１００Ａ、１００Ｂで簡単に進退させて調整することができる。
【００６６】
このような前記挿入装置１００Ａに使われる拡張部材４０は多様な形態による作動特徴を説明すれば次のようである。
【００６７】
１．図１４及び図１５に示すように、前記拡張部材４０の外周面に突条４１または突起４２が形成された場合には、前記突条４１によって、内径（ｄ）のプラスチックステント１０の内周面に密着するとき、支持力が高くなり、前記突起４２によって、内径（ｄ）のプラスチックステント１０の内周面に密着するとき、摩擦係数が高くなる。
【００６８】
２．図１６〜図１８に示すように、前記拡張部材４０に支持リブ４３が形成された場合には、支持リブ４３が円弧状に隆起しながら内径（ｄ）のプラスチックステント１０の内周面に密着して加圧し、このような支持リブ４３に突条４１または突起４２が形成された場合、内径（ｄ）のプラスチックステント１０の内周面に密着するとき、摩擦係数が高くなるものである。
【００６９】
他の実施例において、図１９及び図２０に示すように、前記挿入装置１００Ｂに使われるコイルスプリング状に構成された拡張部材４０は、可動具３０が作動しないときには拡張部材４０が伸張して中央部４５または拡張部４８がプラスチックステント１０の内周面に接触しない状態を維持するようになる。
【００７０】
この際、前記プラスチックステント１０の後進のための可動具３０の後進作動の際、伸張していた拡張部材４０が収縮しながら圧縮される作用によって中央部４５または拡張部４８がプラスチックステント１０の内周面にかかることで、プラスチックステント１０の施術位置を調整するように構成されたものである。
【００７１】
このような前記拡張部材４０はコイルスプリング状に構成されるので、圧縮及び収縮の際に応力集中現象が減少して反復的な圧縮及び復元の作用にも優れた耐久性を発揮することができるものである。
【００７２】
以上、本発明を特定の好適な実施例に基づいて図示しながら説明したが、本発明は前述した実施例に限定されなく、本発明の精神を逸脱しない範疇内で本発明が属する技術分野で通常の知識を持った者によって多様な変更及び修正が可能であろう。
【産業上の利用可能性】
【００７３】
本発明は長手方向への収縮によって拡張部材の直径が拡張し、人体の体腔内からステントを引っ張ることで施術位置を簡単に調整することができるようにするプラスチックステント挿入装置に適用可能である。
【符号の説明】
【００７４】
１０    プラスチックステント
２０    ボディ
２１    支持段部
２２    チューブ
２２ａ    金属芯
２２ｂ    被覆
２３    末端チップ
２３ａ、２３ｂ、２３ｃ・・・  末端部
２４    ローディング部
３０    可動具
３１    可動ワイヤ
４０    拡張部材
４１    突条
４２    突起
４３    支持リブ
４４    両末端部
４５    中央部
４６    屈曲部
４７    弾性ワイヤ
４８    拡張部
４９    コーティング層
１００Ａ、１００Ｂ  挿入装置
Ｄ１    拡張前直径
Ｄ２    拡張後直径
ｄ    内径
【図１】
2014069069.tif 000003
【図２】
2014069069.tif 000004
【図３】
2014069069.tif 000005
【図４】
2014069069.tif 000006
【図５】
2014069069.tif 000007
【図６】
2014069069.tif 000008
【図７】
2014069069.tif 000009
【図８】
2014069069.tif 000010
【図９】
2014069069.tif 000011
【図１０】
2014069069.tif 000012
【図１１】
2014069069.tif 000013
【図１２】
2014069069.tif 000014
【図１３】
2014069069.tif 000015
【図１４】
2014069069.tif 000016
【図１５】
2014069069.tif 000017
【図１６】
2014069069.tif 000018
【図１７】
2014069069.tif 000019
【図１８】
2014069069.tif 000020
【図１９】
2014069069.tif 000021
【図２０】
2014069069.tif 000022